(57)【要約】【課題】搬送中の原稿が主搬送路及び再搬送路の少なくとも一方の内部に詰まって取り残されたときでも、その詰まった原稿を効率よく容易に取り除くことができるようにする。【解決手段】原稿を送出部から読取部を経て排出部まで搬送するＵターン状の経路からなる主搬送路と、主搬送路の経路の間に存在する状態で設置され、片面の読み取りが終了した後の原稿を前記読取部まで再送する再送路と、前記主搬送路のうち前記送出部から前記読取部の手前側の位置に至るまでの通路部分を形成する上下部材の上部材が取り付けられ、装置本体に対して開閉し得るカバー部と、前記主搬送路の通路部分を形成する上下部材の下部材及び前記再送路の通路を形成する上下部材の上部材が取り付けられ、装置本体に対して開閉し得る通路形成部とを備え、前記カバー部が前記通路形成部と分離して開閉し、また前記通路形成部が前記カバー部と一体となって開閉するように設けられている。【選択図】図１２
2009227383.tif 000002
【特許請求の範囲】
【請求項１】
表裏面を有する原稿を送り出す送出部と、
原稿の読み取りを行う読取部と、
前記読取部を通過した後の原稿を排出する排出部と、
原稿を前記送出部から前記読取部を経て前記排出部まで搬送するＵターン状の経路からなる主搬送路と、
前記主搬送路の経路の間に存在する状態で設置され、当該主搬送路を通過して片面の読み取りが終了した後の原稿を前記排出部での排出途中で引き戻してからその表裏面を反転させた状態で前記読取部まで再送する再送路と、
前記主搬送路のうち前記送出部から前記読取部の手前側の位置に至るまでの通路部分を形成する上下部材の上部材が取り付けられ、装置本体に対して開閉し得るカバー部と、
前記主搬送路の通路部分を形成する上下部材の下部材及び前記再送路の通路を形成する上下部材の上部材が取り付けられ、装置本体に対して開閉し得る通路形成部と
を備え、
前記カバー部が前記通路形成部と分離して開閉するように設けられているとともに、前記通路形成部が前記カバー部と一体となって開閉するように設けられていることを特徴とする原稿搬送装置。
【請求項２】
前記主搬送路の前記読取部の手前側の位置に、２つのロールが接触して回転する搬送時期調整ロール対を配置し、
かつ、前記カバー部と前記通路形成部とを、前記搬送時期調整ロール対の一方のロールにおける回転軸と同じ軸中心となる支持軸に揺動自在に取り付けていることを特徴とする請求項１に記載の原稿搬送装置。
【請求項３】
前記主搬送路の前記読取部の手前側の位置に、２つのロールが接触して回転する搬送時期調整ロール対を配置し、
かつ、前記搬送時期調整ロール対の一方のロールをその他方のロールと接触及び離間する方向に変位するように取り付けるとともに、前記カバー部を当該一方のロールの回転軸に揺動自在に取り付け、
かつ、前記カバー部の前記回転軸への取り付け部分に、そのカバー部を開けたときに当該他方のロールが取り付けられる固定部材に突き当たって当該一方のロールを当該他方のロールから離間する方向に変位させる突き当て部を設けていることを特徴とする請求項１又は２に記載の原稿搬送装置。
【請求項４】
前記排出部に排出ロールを配置し、
かつ、前記通路形成部に前記排出ロールに接触して回転する接触ロールを取り付け、当該通路形成部を開けたときに前記接触ロールを前記排出ロールから離間させることを特徴とする請求項１〜３のいずれかに記載の原稿搬送装置。
【請求項５】
前記カバー部を装置本体の被掛け部に引っ掛けて一体に保持する第一掛け具と、前記カバー部を前記通路形成部の被掛け部に引っ掛けて当該通路形成部と一体に保持する第二掛け具とを、前記カバー部に設置する二重構造の軸に揺動自在に取り付けていることを特徴とする請求項１〜４のいずれかに記載の原稿搬送装置。
【請求項６】
前記装置本体の被掛け部と前記通路形成部の被掛け部とが前記二重構造の軸を中心とする揺動角度が所定の角度となるように離れた位置に設置されているとともに、
前記第一掛け具又は前記第二掛け具に、当該第二掛け具を当該通路形成部の被掛け部に引っ掛ける状態にする際に要する揺動角度が当該第一掛け具を当該装置本体の被掛け部に引っ掛けている状態から解除する際に要する揺動角度以上の大きさの揺動角度になる条件を満して、当該第一掛け具と当該第二掛け具を連結させて一体に保持して揺動させる連結具を設けていることを特徴とする請求項５に記載の原稿搬送装置。
【請求項７】
前記二重構造の軸の一方に前記第一掛け具を操作する第一操作レバーを取り付けるとともに、当該軸の他方に前記二掛け具を操作する第二操作レバーを取り付けていることを特徴とする請求項６に記載の原稿搬送装置。
【請求項８】
前記読取部の手前側に２つのロールが接触して回転する搬送時期調整ロール対を配置するとともに、前記排出部に排出ロール対を配置し、
かつ、前記主搬送路又は再送路において原稿が前記搬送時期調整ロール対と前記排出ロール対の双方に挟まれて詰まった状態又は前記排出ロール対に挟まれて詰まった状態にあることを検出する検出手段を設け、
前記検出手段が上記原稿の詰まった状態を検知したときに、前記第一掛け具を装置本体の被掛け部から脱離する方向に動かすとともに前記第二掛け具を通路形成部の被掛け部に引っ掛ける方向に動かす掛け具駆動手段とを設けていることを特徴とする請求項５に記載の原稿搬送装置。
【請求項９】
前記二重構造の軸の一方に前記第一掛け具を操作する操作レバーを取り付けるとともに、当該軸の他方に前記二掛け具を動かす前記掛け具駆動手段を連結させて取り付けていることを特徴とする請求項８に記載の原稿搬送装置。
【発明の詳細な説明】
【技術分野】
【０００１】
この発明は、原稿搬送装置に関するものである。
【背景技術】
【０００２】
複写機、スキャナ、ファクシミリ等の原稿（画像）読取部を有する機器においては、読み取り情報が記録された文書等の原稿を所定の収容部に収容したうえで、原稿の読み取り部にむけて１枚ずつ送り出して搬送するとともに、その読み取り後の原稿を所定の排出部にむけて搬送する原稿搬送装置が使用されることがある。
【０００３】
このような原稿搬送装置としては、例えば、給紙トレイ部に載置された原稿を分離して略Ｕターン形状の原稿搬送路における第一の搬送方向に搬送するための第一回転駆動部材及びそれに当接する第一当接部材からなる分離・搬送手段と、その分離・搬送手段で搬送される原稿を前記原稿搬送路における第二原稿の搬送方向に反転して搬送するための第二回転駆動部材及びそれに当接する第二当接部材からなる反転搬送手段と、原稿搬送路の少なくとも一部を開放可能にするカバー部材とを備え、そのカバー部材を開けたときには、第二の当接部材の少なくとも一部が第二の回転駆動部材から離間するように構成し、これにより原稿搬送路の大部分を開放できるようにしたものが知られている（特許文献１）。
【０００４】
この他、両面画像形成が可能な画像形成装置であるが、シート材を給送部から画像形成部を経て排出部に搬送させる主搬送経路と、両面画像形成時に主搬経路を通過して片面側に画像形成のなされたシート材を再び主搬送経路に導く副搬送経路とを有し、その副搬送経路の構成部材の一部を一体化した第一のシート材搬送系ユニットと、上記以外の副搬送経路の構成部材および主搬送経路の構成部材の一部を一体化した第二のシート材搬送系ユニットとを、装置本体に対して外側に回動可能に構成して主搬送経路と副搬送経路とを開放しえるようにしたものが知られている（特許文献２）。
【特許文献１】特開２００５−２４７５７５号公報
【特許文献２】特公平８−１８７２４号公報
【発明の開示】
【発明が解決しようとする課題】
【０００５】
この発明は、原稿の送出部から読取部を経て排出部まで搬送するＵターン状の経路からなる主搬送路と、この主搬送路の経路の間に存在する状態で設置され、その主搬送路を通過して片面の読み取りが終了した後の原稿をその表裏面を反転させた状態で読取部まで再送する再送路とを有した原稿搬送装置として、搬送中の原稿が主搬送路及び再搬送路の少なくとも一方の内部に詰まって取り残されたときでも、その詰まった原稿を効率よく容易に取り除くことができる原稿搬送装置を提供することを目的とするものである。
【課題を解決するための手段】
【０００６】
この発明（Ａ１）の原稿搬送装置は、
表裏面を有する原稿を送り出す送出部と、原稿の読み取りを行う読取部と、前記読取部を通過した後の原稿を排出する排出部と、原稿を前記送出部から前記読取部を経て前記排出部まで搬送するＵターン状の経路からなる主搬送路と、前記主搬送路の経路の間に存在する状態で設置され、当該主搬送路を通過して片面の読み取りが終了した後の原稿を前記排出部での排出途中で引き戻してからその表裏面を反転させた状態で前記読取部まで再送する再送路と、前記主搬送路のうち前記送出部から前記読取部の手前側の位置に至るまでの通路部分を形成する上下部材の上部材が取り付けられ、装置本体に対して開閉し得るカバー部と、前記主搬送路の通路部分を形成する上下部材の下部材及び前記再送路の通路を形成する上下部材の上部材が取り付けられ、装置本体に対して開閉し得る通路形成部とを備え、
前記カバー部が前記通路形成部と分離して開閉するように設けられているとともに、前記通路形成部が前記カバー部と一体となって開閉するように設けられているものである。
【０００７】
この発明（Ａ２）の原稿搬送装置は、上記発明Ａ１の原稿搬送装置において、
前記主搬送路の前記読取部の手前側の位置に、２つのロールが接触して回転する搬送時期調整ロール対を配置し、かつ、前記カバー部と前記通路形成部とを、前記搬送時期調整ロール対の一方のロールにおける回転軸と同じ軸中心となる支持軸に揺動自在に取り付けているものである。
【０００８】
この発明（Ａ３）の原稿搬送装置は、上記発明Ａ１又はＡ２の原稿搬送装置において、
前記主搬送路の前記読取部の手前側の位置に、２つのロールが接触して回転する搬送時期調整ロール対を配置し、かつ、前記搬送時期調整ロール対の一方のロールをその他方のロールと接触及び離間する方向に変位するように取り付けるとともに、前記カバー部を当該一方のロールの回転軸に揺動自在に取り付け、かつ、前記カバー部の前記回転軸への取り付け部分に、そのカバー部を開けたときに当該他方のロールが取り付けられる固定部材に突き当たって当該一方のロールを当該他方のロールから離間する方向に変位させる突き当て部を設けているものである。
【０００９】
この発明（Ａ４）の原稿搬送装置は、上記発明Ａ１〜Ａ３のいずれかの原稿搬送装置において、
前記排出部に排出ロールを配置し、かつ、前記通路形成部に前記排出ロールに接触して回転する接触ロールを取り付け、当該通路形成部を開けたときに前記接触ロールを前記排出ロールから離間させるものである。
【００１０】
この発明（Ａ５）の原稿搬送装置は、上記発明Ａ１〜Ａ４のいずれかの原稿搬送装置において、
前記カバー部を装置本体の被掛け部に引っ掛けて一体に保持する第一掛け具と、前記カバー部を前記通路形成部の被掛け部に引っ掛けて当該通路形成部と一体に保持する第二掛け具とを、前記カバー部に設置する二重構造の軸に揺動自在に取り付けているものである。
【００１１】
この発明（Ａ６）の原稿搬送装置は、上記発明Ａ５の原稿搬送装置において、
前記装置本体の被掛け部と前記通路形成部の被掛け部とが前記二重構造の軸を中心とする揺動角度が所定の第一角度となるように離れた位置に設置されているとともに、
当該第二掛け具を当該通路形成部の被掛け部に引っ掛ける状態にする際に要する揺動角度が当該第一掛け具を当該装置本体の被掛け部に引っ掛けている状態から解除する際に要する揺動角度以上の大きさの揺動角度になる条件を満して、当該第一掛け具と当該第二掛け具を連結させて一体に保持して揺動させる連結具を設けているものである。
【００１２】
この発明（Ａ７）の原稿搬送装置は、上記発明Ａ６の原稿搬送装置において、
前記二重構造の軸の一方に前記第一掛け具を操作する第一操作レバーを取り付けるとともに、当該軸の他方に前記二掛け具を操作する第二操作レバーを取り付けているものである。
【００１３】
この発明（Ａ８）の原稿搬送装置は、上記発明Ａ５の原稿搬送装置において、
前記読取部の手前側に２つのロールが接触して回転する搬送時期調整ロール対を配置するとともに、前記排出部に排出ロール対を配置し、
かつ、前記主搬送路又は再送路において原稿が前記搬送時期調整ロール対と前記排出ロール対の双方に挟まれて詰まった状態又は前記排出ロール対に挟まれて詰まった状態にあることを検出する検出手段を設け、
前記検出手段が上記原稿の詰まった状態を検知したときに、前記第一掛け具を装置本体の被掛け部から脱離する方向に動かすとともに前記第二掛け具を通路形成部の被掛け部に引っ掛ける方向に動かす掛け具駆動手段とを設けているものである。
【００１４】
この発明（Ａ９）の原稿搬送装置は、上記発明Ａ８の原稿搬送装置において、
前記二重構造の軸の一方に前記第一掛け具を操作する操作レバーを取り付けるとともに、当該軸の他方に前記二掛け具を動かす前記掛け具駆動手段を連結させて取り付けているものである。
【発明の効果】
【００１５】
上記発明Ａ１の原稿搬送装置によれば、カバー部を開ければ搬送路の一部の通路部分が開放された状態になり、通路形成部をカバー部と一体で開ければ再送路が開放された状態になり、搬送中の原稿が主搬送路及び再搬送路の少なくとも一方の内部に詰まって取り残されたときでも、その詰まった原稿を効率よく容易に取り除くことができる。
【００１６】
上記発明Ａ２の原稿搬送装置では、カバー部と通路形成部が読取部の手前側に配置される搬送時期調整ロール対の一方の軸と同じ軸中心の支持軸を共通の支点として揺動して開閉されることになり、カバー部を開けたときに搬送路の一部の通路部分を広く開放した状態にすることができるとともに、通路形成部を開けたときに再送路を広く開放した状態にすることができる。この結果、主搬送路及び再搬送路の少なくとも一方の内部に詰まって取り残されたとき原稿の取り除き作業をさらに効率よく容易に取り除くことができる。
【００１７】
上記発明Ａ３の原稿搬送装置では、カバー部を開けると搬送時期調整ロール対の一方のロールがその他方のロールから離間した状態になり、搬送中の原稿の一部が搬送時期調整ロール対に挟まれた状態で詰まったときでも、その詰まった原稿を損傷させることもなくさらに効率よく容易に取り除くことができる。
【００１８】
上記発明Ａ４の原稿搬送装置では、通路形成部を開けると接触ロールが排出ロールから離間した状態になり、搬送中の原稿の一部が排出ロールと接触ロールの間に挟まれた状態で詰まったときでも、その詰まった原稿を損傷させることもなくさらに効率よく容易に取り除くことができる。
【００１９】
上記発明Ａ５の原稿搬送装置では、カバー部及び通路形成部の装置本体への所要の開閉自在な取り付けを簡易な構成かつ省スペースで行うことができる。
【００２０】
上記発明Ａ６の原稿搬送装置では、通路形成部をカバー部と一体で開けることが容易にでき、特に再搬送路の通過時に詰まった原稿の取り除き作業をさらに効率よく容易に行うことができる。
【００２１】
上記発明Ａ７の原稿搬送装置では、第一操作レバーを操作することでカバー部を通路形成部と分離して開けることができ、第二操作レバーを操作することで通路形成部をカバー部と一体となって開けることができる。この結果、搬送中の原稿が主搬送路及び再搬送路の少なくとも一方の内部に詰まって取り残されたときでも、その詰まった原稿の取り除き作業をさらに効率よく容易に行うことができる。
【００２２】
上記発明Ａ８の原稿搬送装置では、特に原稿が搬送時期調整ロール対と排出ロール対の双方に挟まれて詰まった状態又は排出ロール対に挟まれて詰まった状態になったときに、カバー部の通路形成部と分離した状態での開閉動作と通路形成部のカバー部と一体となった状態での開閉動作を効率よく適切に行うことができる。この結果、搬送中の原稿が主搬送路及び再搬送路の少なくとも一方の内部に詰まって取り残されたときでも、その詰まった原稿の取り除き作業をさらに効率よく容易に行うことができる。
【００２３】
上記発明Ａ９の原稿搬送装置では、操作レバーが１つであるにかかわらず、その１つの操作レバーの操作によって、カバー部の通路形成部と分離した状態での開閉動作と通路形成部のカバー部と一体となった状態での開閉動作の双方を行うことができる。特に原稿が搬送時期調整ロール対と排出ロール対の双方に挟まれて詰まった状態又は排出ロール対に挟まれて詰まった状態になったときに、その詰まった原稿の取り除き作業をさらに効率よく容易に行うことができる。
【発明を実施するための最良の形態】
【００２４】
［第１の実施形態］
図１〜図３は、この発明の第１の実施形態に係る原稿搬送装置を示すものである。図１はその装置の全体構成を一部断面説明図として示し、図２はその装置の要部を概略斜視図として示し、図３はその装置の要部を概略説明図として示している。
【００２５】
原稿搬送装置１は、図１等に示すように、装置の本体（その一部である支持台）１０上に、用紙などに読み取り対象の情報が片面又は両面に記録されているシート状の原稿９を収容する収容トレイ２と、収容トレイ２から原稿９を送り出す送出部３と、送出部３から送り出された原稿９の情報の読み取りを行う読取部４と、読取部３を通過した後の原稿９を排出する排出部５と、原稿を送出部３から読取部４を経て排出部５まで搬送するＵターン状の経路からなる主搬送路１２と、主搬送路１２の経路の間に存在する状態で設置され、片面の読み取りが終了した後の原稿９をその表裏面を反転させた状態で読取部４まで再送する再送路１４と、装置本体１０に対して開閉し得るカバー部１６と、装置本体１０に対して開閉し得る通路形成部１８とが主に設けられている。この原稿搬送装置１では、必要に応じて、排出部５から排出される原稿９を積み重ねる状態で収容する不図示の排出収容部が設けられている。
【００２６】
収容トレイ２は、１枚又は複数枚の原稿９を載せて保持する保持面２１とその保持される原稿９の送り方向両側に側壁面部２２とが形成された板状のトレイ本体２３で構成されている。この収容トレイは、そのトレイ本体２３の一端部が送出部３と接続される状態で装置本体１０に不図示の取り付け具を介して取り付けられており、その他端部が送出部３よりも上方に次第に高くなるように小さな角度で傾斜した状態に保持されている。図１等において符号２４は、収容トレイ２に収容される原稿９の高さ位置を規制する高さ規制板である。
【００２７】
送出部３は、収容トレイ２のトレイ本体２３の一端部２３ａと対峙して接続される位置に形成される部分であり、収容トレイ２上の原稿９を１枚ずつ送り出す排出装置３１を配置して構成されている。
【００２８】
排出装置３１は、繰出しロール３２、搬送ロール３３及びパッド部材３４にて主に構成されている。繰出しロール３２は、収容トレイ２上の原稿９の上面に接離可能に接触して矢印で示す方向に回転することで原稿２を収容トレイ２から繰り出すものである。搬送ロール３３は、繰出しロール３２で繰り出される原稿２を矢印で示す方向に回転して搬送するものである。パッド部材３４は、搬送ロール３３が所定の圧力下で接触してそのロールとの間で触部ＮＰ１を形成し、その接触部ＮＰ１の手前において繰出しロール３２で繰り出される原稿２のうち重なった状態で送られた分（重送された分）の原稿（下方に存在する原稿）を停止させて分離する重送防止用のパッドである。繰出しロール３２は、例えば、搬送ロール３３の回転軸と同心の軸を支点として点線の矢印で示す方向に揺動する揺動フレーム３５の先端部側に取り付けられている。繰出しロール３２及び搬送ロール３３は、不図示の回転駆動手段からの動力を受けて回転駆動する。この送出装置３１は、そのパッド部材３４を除く部分が、後述するカバー部１６（開閉カバー部１７）に取り付けられている。
【００２９】
読取部４は、装置本体（支持台）１０の下部の位置に形成される部分である。読取部４は、原稿９の少なくとも片面に記録された読み取り情報（文字、画像など）を読み取る読取手段を配置して構成されるか、又は、この原稿搬送装置２と組み合わせて使用する原稿（画像）読取装置にある読取手段による読み取り動作を実行するために原稿を通過させる読取通過手段を配置して構成される。
【００３０】
図１等に示す符合４１は、上記読取手段又は読取通過手段である。読取手段としては、例えば、原稿９を照明する照明手段と、原稿９からの反射光を光電変換して読み取るラインＣＣＤ（Charge Coupled Device）センサ等の撮像素子とを配置したものが適用される。また、読取通過手段としては、例えば、読取装置の読取手段からの照明光と原稿からの反射光を通過させる読取開口部の透明ガラス板と、その透明ガラス板に対して原稿９を安定して搬送する搬送空間を確保する部材等を配置したものが適用される。
【００３１】
排出部５は、装置本体（支持台）１０の送出部３の下方側の位置であって読取部４から少し離れた位置に形成される部分であり、排出口５１としての開口部の内側に排出ロール対５２を配置して構成されている。
【００３２】
排出ロール対５２は、基本的に２つのロール５３，５４が加圧下で接触して矢印で示す方向に回転する装置である。排出ロール対５２は、その一方のロールが不図示の駆動手段からの動力を受けて回転駆動する駆動ロールとして、その他方のロールが不図示の加圧手段で押されて一方のロールに接触して接触部ＮＰ２を形成しながら従動回転する従動ロールとして構成される。この実施形態では、ロール５３が駆動ロール、ロール５４が従動ロールになっている。また、この実施形態における排出ロール対５２においては、再送路１４の一部と原稿９の反転排出部を形成するため排出駆動ロール５３に接触して従動回転する後述のロール（６８）がさらに配置されている。
【００３３】
原稿搬送路としての主搬送路１２は、その全体がＵターン状の経路からなるものであり、送出部３から読取部４（の手前側位置）までの間を接続する第一主搬送路部１２Ａと、読取部４から再送路１４との分岐点までの間を接続する第二主搬送路部１２Ｂと、再送路１４との分岐点から排出部５（排出口５１）までの間を接続する第三主搬送路部１２Ｃとで形成されている。
【００３４】
第一搬送路１２Ａは、送出部３と読取部４の間でほぼ湾曲（面）形状の通路として形成されており、その通路の空間を形成する上下の通路形成部材１３ａ，１３ｂと、その通路途上で読取部４から所定の距離だけ手前側となる位置に設置されるレジロール対６１とで構成されている。レジロール対６１は、２つのロール６２，６３が加圧下で接触して矢印で示す方向に回転する装置であり、排出ロール対５２の場合とほぼ同様に、駆動ロールと従動ロールとで構成されている。この実施形態では、ロール６２が駆動ロール、ロール６３が従動ロールになっており、従動ロール６３が駆動ロール６２に所定の圧力で接触して接触部ＮＰ３を形成している。このレジロール対６１は、回転を停止させた状態で送出部３から第一主搬送路部１２Ａを通して搬送される原稿９をその送り先端部を接触部ＮＰ３で停止させた後、読取部４における読み取りタイミングに合わせて再回転させることにより原稿９を読取部４に送り出す搬送時期を調整する機能を有している。
【００３５】
第二主搬送路部１２Ｂは、読取部４の手前側位置に配置されたレジロール対６１から読取部４を通過して排出部５の手前側の位置（再送路との分岐点）までの間を結ぶわずかに湾曲した形状の通路として形成されている。この主搬送路部１２Ｂは、その通路の空間を形成する上下通路形成部材１３ｃ，１３ｄと、読取部４を通過して再送路１４との分岐点までの位置に配置される搬送ロール対６４と、再送路１４との分岐点で原稿９を第３主搬送路部１２Ｃ又は再送路１４のいずれかに送りこむように原稿の搬送先を切り替えるように揺動する切替ゲート６７で主に構成されている。搬送ロール対６４は、駆動ロール６５とそれに接触して接触部ＮＰ４を形成しながら従動回転する従動ロール６６を有している。切替ゲート６７は、支持軸６７ａを支点として通路内で原稿の搬送先にあわせて設定された所定の位置に変位する。
【００３６】
第３主搬送路部１２Ｃは、第２主搬送路部１２Ｂの再送路１４との分岐点から排出部５の排出口５１までの間を結ぶほぼ直線状の通路として形成されており、その通路の空間を形成する上下通路形成部材１３ｅ，１３ｆで形成されている。
【００３７】
原稿搬送路としての再送路１４は、主搬送路１２の中途地点（搬送ロール対６４と排出ロール対５２の間）で分岐して主搬送路１２（第一主搬送路部１２Ａ）の下方位置において排出部５の排出ロール５２の上方位置に至るまでに延びる第一再送路部１４Ａと、第一再搬送路部１４Ａの中途地点で分岐して搬送ロール対６４の上部位置を通過し、第一主搬送路部１２Ａの下方位置において読取部４の手前側にあるレジロール対６１に至るまで延びる第二再搬送路部１４Ｂとで形成されている。
【００３８】
第一再送路部１４Ａは、その通路の空間を形成する上下通路形成部材と、排出ロール５２の排出駆動ロール５３の上部で接触して従動回転するように設置される接触従動ロール５５とで形成されている。
【００３９】
第二再送路部１４Ｂは、その通路の空間を形成する上下通路形成部材１５ａ，１５ｂと、搬送ロール対６４の駆動ロール６５の上部に接触して従動回転するように設置される接触従動ロール６９とで形成されている。第二再送路部１４Ｂは、第一主搬送路部１２Ａと合流してレジロール対６１に至るように形成されている。また、第一再送路部１４Ａと第二再送路部１４Ｂとの分岐点には、主搬送路１２から第一再送路部１４Ａに送りこまれた原稿９に押されて一時的に開いた状態となり、第二再送路部１４Ｂに送られる原稿に対しては閉じた状態に保たれて原稿をその再送路部１４Ｂに送りこむように誘導する不図示の分岐誘導シートが設置されている。
【００４０】
カバー部１６は、送出部３、読取部４、排出部５及び各搬送路１２，１４を覆う外装カバーのうち装置本体１０に対して開閉する部分の開閉カバー部１７と、その開閉カバー部１７の内側面に一体的に取り付けられる、主搬送路１２のうち第一主搬送路部１２ａの上下通路形成部材１３の上通路形成部材１３ａとで構成されている。開閉カバー部１７は、その一端部１７ａにおいてレジロール６１の従動ロールの軸６３ａと同軸心の支持軸に取り付けられ、その支持軸を支点として矢印Ｂ１，Ｂ２で示す方向に揺動するようになっている。このカバー部１６（開閉カバー部１７）は、前記した送出部３の送出装置３１（パッド部材３４を除く）が取り付けられる。
【００４１】
通路形成部１８は、主搬送路１２の第一主搬送路部１２ａの通路部分を形成する部材の下部材１３ｂと、再送路１４の通路を形成する部材の上部材１５ａが取り付けられた構造部分である。この通路形成部材１８は、支持材の上部及び下部に下部材１３ｂと上部材１５ａをそれぞれ配置した構造になっている。この通路形成部１８には、
【００４２】
また、この原稿搬送装置１は、主搬送路１２及び再送路１４において原稿９の存在や通過を検出するための原稿有無センサ２６、レジセンサ２７、再送センサ２８等が設置されている。
【００４３】
原稿有無センサ２６は、送出装置３１の揺動フレーム３５に揺動自在に配置され、収容トレイ２に収容された原稿９が送出装置３１の繰出しロール３２の下に存在しているか否かを検出する。レジセンサ２７は、レジロール対６１の直前位置に揺動自在に配置され、原稿９の搬送方向における先端部及び後端部の通過をそれぞれ検出することで、原稿９がレジロール対６１の手前位置に到達したこととその位置を通過したことを検出する。再送センサ２８は、再送路の第一再送路部１４Ａと第二再送路部１４Ｂの分岐点（合流点）の近くに配置され、原稿９の搬送方向における先端部及び後端部の通過をそれぞれ検出することで、原稿９が再送路１４内に搬送されたことなどを検出する。
【００４４】
さらに、この原稿搬送装置１は、図４に示すように演算処理装置、記憶装置、制御装置等で構成される制御部７を備えており、その制御部７により記憶装置に格納された制御プログラムや検出情報に基づき装置全体の動作等が制御される。
【００４５】
この制御部７には、前記した原稿有無センサ２６、レジセンサ２７及び再送センサ２８が接続されており、その各センサの検出情報が送信されて入力されるようになっている。また、制御部７には、送出装置３１や各ロール対５２，６１，６４における駆動ロールを回転駆動させるモータや回転伝達機構による回転の開始及び停止、その回転方向の向き等の各動作について制御するロール駆動制御部７１と、切替ゲート６７の原稿送り方向の向きを変える駆動装置による切替動作について制御するゲート駆動制御部７２と、原稿搬送装置１の状態や設定内容を表示する表示部７９の表示動作について制御する表示制御部７３等が接続されており、必要な制御信号等がやり取りされるようになっている。表示部７９は、液晶画面、ランプ等で構成されており、装置本体１０の視認できる所定の箇所に設置される。
【００４６】
このように構成される原稿搬送装置１は、以下のように作動して原稿の搬送を行う。なお、原稿搬送装置１が原稿読取装置と組み合わせて使用される構成になっている場合には、原稿搬送装置１はその読取装置の動作と同期して作動することになる。
【００４７】
図５（ａ）に示すように収容トレイ２に読み取り対象の複数枚の原稿９を積み重ねた状態で載せた後に、動作開始指示（信号）を受けると、同図（ｂ）に示すように送出部３の送出装置３１によって収容トレイ２上の原稿９はその最上位にある原稿９から１枚ずつ主搬送路の第一主搬送路部１２Ａに送り出される。
【００４８】
この際、送出装置３１では、繰出しロール３２で収容トレイ２上の原稿９が複数枚重なり合った状態で搬送ロール３２とパッド部材３４の間の接触部ＮＰ１にむけて送られる。続いて、搬送ロール３２とパッド部材３４の間において、下方に位置する原稿がパッド部材３４により接触部ＮＰ１の手前で停止させられて最上位の原稿と分離された状態になるので、最上位の原稿のみが搬送ロール３２の搬送力を受けて接触部ＮＰ１を通過するように送り出される。
【００４９】
原稿搬送路６の第一主搬送路部１２Ａに送り出された原稿９は、レジロール対６１で一旦停止させられた後、読取タイミングに合わせて第二主搬送路１２Ａを通して読取部４に送られる。読取部４では、原稿９の片面（第１面）に記録されている読み取り情報の読み取りが行われる（図５（ｃ））。この読取部４を通過するときの原稿９は、レジロール対６１と搬送ロール対６４の少なくとも一方の接触部に挟まれて保持された状態となることで搬送力を受けて搬送される。
【００５０】
片面の読み取り作業が終了した原稿９は、搬送ロール対６４の搬送力を受けて読取部４から主搬送路の第三主搬送路部１２Ｃを通して排出部５にむけて搬送される。排出部５に到達した原稿９は、排出ロール対５２の搬送力により排出口５１から排出され（図７（ｉ））、最後に不図示の排出収容部に収容される。これにより、原稿９の片面にある読み取り対象情報が読み取られる。この際、切替ゲート６７は、搬送ロール対６４を通過した原稿９を再送路１４でなく第三搬送部１２Ｃ側に送り込むように誘導する位置に切り替えられる。
【００５１】
また、原稿の表裏表面に記録された読み取り情報を読み取る場合には、片面の読み取りが終了した後の原稿９は、その残り片面（第二面）の読み取りのために以下のように搬送される。
【００５２】
読取部４において片面の読み取り作業が終了した後の原稿９は、図６（ｄ）に示すように搬送ロール対６４を通過した後に再送路１４との分岐点において切替ゲート７４の誘導作用により再送路１４の第一再送路部１４Ａに送り込まれる。この際、切替ゲート７４は、原稿９を第三搬送部１２Ｃでなく再送路１４側に送り込むように誘導する位置に切り替えられる。
【００５３】
再送路の第一再送路部１４Ａに送り込まれた原稿９は、第一再送路部１４Ａを通して搬送された後、排出駆動ロール５３と接触従動ロール６８との接触部ＮＰ５に挟まれて搬送力を受けることで排出口５１から外部に送り出される（図６（ｆ））。このとき、原稿９の搬送方向後端部が第一再送路部１４Ａと第二再送路部１４Ｂの分岐点に達した時点で排出駆動ロール５３及び搬送ロール対６４の駆動ロール６５が反転し始める。分岐点に達した時点は、実際には、後述するようにセンサの検出時点から所定時間が経過した時点で予測する。
【００５４】
この各駆動ロール５３，６５の反転により原稿９は、図７（ｇ）に示すようにそれまでの搬送方向後端部を先頭にした状態で第二再送路部１４Ｂに送り込まれ、搬送ロール対の駆動ロール６５と接触従動ロール６９との接触部ＮＰ６に挟まれて搬送力を受けることで搬送される。
【００５５】
第二再送路部１４Ｂから第一主搬送路部１２Ａに合流してレジロール対６１にまで達した原稿９は、レジロール対６１で一旦停止させられた後、読取タイミングに合わせて第二主搬送路１２Ａを通して読取部４に送られる。読取部４では、原稿９の他面（第２面）に記録されている読み取り情報の読み取りが行われる（図７（ｈ））。
【００５６】
第２面の読み取り作業が終了した原稿９は、搬送ロール対６４の搬送力を受けて読取部４から主搬送路の第三主搬送路部１２Ｃを通して排出部５にむけて搬送された後、排出部５に達した時点で排出ロール対５２の搬送力により排出口５１から排出され（図７（ｈ）、（ｉ））、最後に不図示の排出収容部に収容される。これにより、原稿９の他面（第２面）にある読み取り対象情報が読み取られる。
【００５７】
ところで、以上のような構成からなる原稿搬送装置１では、主搬送路１２及び再搬送路１３を搬送中の原稿９がその少なくとも一方の搬送路内で詰まって取り残されることがある。この場合、その詰まった原稿９は、取り除く必要がある。
【００５８】
しかし、この原稿搬送装置１では、搬送路内に配置された各ロール対６１，６４，５２及びロール間（駆動ロール５３と従動ロール６８、駆動ロール６５と従動ロール６９）の接触部ＮＰに挟まれた状態やロール３３とパッド部材３４の接触部ＮＰ１に挟まった状態にあるときは、その各接触部における摩擦抵抗を受けるために引き抜きにくくなり、無理やりに引き抜こうとすると原稿９にしわや筋がついたり、その一部が破れる等の損傷を与えてしまうことがある。また、Ｕターン状の通路からなる主搬送路１２に加えて、その搬送路の通路に挟まれた状態で形成された再送路１４もあるため、詰まった原稿９がいずれの搬送路内に留まって詰まっているのかが判別しにくく、その原稿の除去作業を効率よく容易に行うことが難しいこともある。
【００５９】
そこで、この原稿搬送装置１においては、その詰まった原稿９の取り除き作業を行うために以下の構成を採用している。
【００６０】
まず、図１や図２等に示すように、カバー部１６が通路形成部１８と分離した状態で開閉するように設けているとともに、通路形成部１８がカバー部１６と一体となった状態で開閉するように設けている。
【００６１】
この実施形態では、通路形成部１８について、その支持材の一端部をレジロール対６４の従動ロールの軸６３ａと同じ軸心の支持軸に取り付け、その支持軸を支点として矢印Ｂ１，Ｂ２で示す方向に揺動させるようにしている。実際には、支持材の一端部から従動ロールの軸６３ａに届くまで延びる支持アーム部１９を設け、その支持アーム部１９の先端部を上記支持軸に回転自在に取り付けている。
【００６２】
また、カバー部１６を装置本体の突起１１に引っ掛けて一体に保持する第一ラッチ７１と、カバー部１６を通路形成部１８の突起１８ａに引っ掛けて通路形成部１８と一体に保持する第二ラッチ７２とを、カバー部１６に設置する二重構造の軸７４に揺動自在に取り付けている。しかも、その二重構造の軸７４の一方（内側軸７４ａ）に第一ラッチ７１を操作する第一操作レバー８１を取り付けるとともに、当該軸７４の他方（外側軸７４ｂ）に第二ラッチ具７２を操作する第二操作レバー８２を取り付けている。
【００６３】
第一ラッチ７１と第二ラッチ７２は、図２、図８等に示すように、基本的に棒状の本体の先端部に、装置本体側の突起１１又は通路形成部側の突起１８ａに引っ掛けるために折り曲げてなる鉤部７１ａ，７２ａを形成したものである。また、２つのラッチ７１，７２は、二重の軸１４を中心にして矢印Ｃ１，Ｃ２で示す方向に揺動するようになっている。
【００６４】
二重構造の軸７４は、内側に配置される内側軸７４ａとその外側に配置される円筒状の外側軸７４ｂとからなり、内側軸７４ａが円筒状の外側軸７４ｂの内部に挿入されて回転自在に支持される一方で、外側軸７４ｂが不図示の軸受けに回転自在に取り付けられている。この実施形態における二重構造の軸７４は、カバー部１６の揺動移動側の先端部（送出部３の上方側の部位）に存在するように配置されている。
【００６５】
装置本体側の突起１１と通路形成部側の突起１８ａとは、そのいずれも円柱状の突起部として形成されている。また、二重構造の軸７４を中心とする揺動角度（第一ラッチ７１が突起１１に掛けられている地点Ｐ１と第二ラッチ７２が突起１８ａに掛けられている地点Ｐ２との間のなす角度）θ１が所定の角度：αとなるような離れた位置にそれぞれ設置されている。突起１１は、装置本体１０のカバー部１６と対向する位置に配置される固定フレームに形成されている。突起１８ａは、通路形成部１８における支持材の揺動移動側の先端部１８ｂの所定位置に形成されている。
【００６６】
この実施形態における第一ラッチ具７１と第二ラッチ７２は、互いに異なる方向に揺動することで対象となる突起１１と突起１８ａにそれぞれ引っ掛けられる。すなわち、第一ラッチ７１は、矢印Ｃ１の方向に揺動することにより装置本体側の突起１１に引っ掛けられる一方で、第二ラッチ７２は、矢印Ｃ２の方向に揺動することにより通路形成部側の突起１８ａに引っ掛けられるようになっている。第一ラッチ７１は、不図示の加圧手段による力Ｆ１により矢印Ｃ１の方向に押され続けた状態に保持されており、平常時（閉じているとき）は突起１１に引っ掛けられた状態に保たれている（図８）。一方の第二ラッチ７２は、不図示の加圧手段による力Ｆ３（＜Ｆ１）により矢印Ｃ２の方向に押され続けた状態に保持されており、平常時は突起１８ａに引っ掛けられていない状態に保たれている（図８）。
【００６７】
第一ラッチ７１には、第二ラッチ７２と一時的に連結されて一体に保持させるための連結アーム片７３が設けられている。
【００６８】
この連結アーム片７３は、第一ラッチ７１の本体の中途部分に矢印Ｃ２の方向に突出する突出片を設け、その先端部に第二ラッチ７２の本体に引っ掛けられるように折り曲げた掛け部７３ａを形成したものである。また、連結アーム片７３は、そのアーム片７３に引っ掛けられた状態の第二ラッチ７２（図８中の実線で示す状態）の地点Ｐ３と第二ラッチ７２が突起１８ａに引っ掛けられている地点Ｐ２との間のなす角度（揺動角度）θ３が、第一ラッチ７１が突起１１に引っ掛けられている地点Ｐ１とその突起１１の引っ掛け状態から脱離（開放）される地点Ｐ４との間のなす角度（揺動角度）θ４以上の大きい角度となる条件（θ３≧θ４）を満たす大きさ（掛け部７３ａまでのアーム長さ）になるよう設定されている。これにより、第二ラッチ７２を前記揺動角度θ１（＝α）よりも小さい所定の角度β（第二ラッチ７２が制約なく揺動することを前提にすれば、β≦θ１−θ３）だけ矢印Ｃ２の方向に揺動させたときに、連結アーム片７３の掛け部７３ａが第二ラッチ７２に引っ掛かり、突起１１に引っ掛けられている第一ラッチ７１と連結されて一体化された状態になる。
【００６９】
第一操作レバー８１と第二操作レバー８２は、カバー部１６の開閉カバー１７の揺動先端部の表面に形成したレバー操作用窪み部１６ｃに二重構造の軸７４を突出させ、その軸７４の内側軸７４ａ及び外側軸７４ｂにそれぞれ固定されているとともに軸７４を支点として矢印Ｄ１，Ｄ２で示す方向に揺動（操作）されるようになっている。
【００７０】
そして、第一操作レバー８１は、内側軸７４ａを介して第一ラッチ７１と連結されており、平常時には矢印Ｄ１の方向に揺動して窪み部１６ｃ内に収まった状態にあり（図２）、また、その矢印Ｄ２の方向への揺動操作により第一ラッチ７１を装置本体側の突起１１に引っ掛けている状態から脱離させる状態に変位させる機能を有している。また、第二操作レバー８２は、外側軸７４ｂを介して第二ラッチ７２と連結されており、平常時には矢印Ｄ１の方向に揺動して窪み部１６ｃ内に収まった状態にあり（図２）、また、その矢印Ｄ２の方向への揺動操作により第二ラッチ７２を通路形成部側の突起１８ａに引っ掛ける状態に変位させる機能を有している。
【００７１】
さらに、この原稿搬送装置１では、図９に示すように、レジロール対６１の従動ロール６３をその駆動ロール６２と接触及び離間する方向（矢印Ｅ１，Ｅ２で示す方向）に変位するように取り付けているとともに、カバー部１６の開閉カバー１７の支点側端部１７ａをレジロール対６１の従動ロールの回転軸６３ａに取り付ける部分１７ｂに以下の突き当て部１７ｄを設けている。
【００７２】
従動ロールの回転軸６３ａは、矢印Ｅ１，Ｅ２で示す方向に移動するように案内されて支持されているとともに、不図示の加圧手段の力Ｆ２により駆動ロール６２の回転軸６２ａに向く矢印Ｅ１の方向に押され続けた状態に保持されている。突き当て部１７ｄは、カバー部１６を矢印Ｂ１の方向に揺動させて開けたときに駆動ロール６２（の回転軸）が取り付けられている装置本体の固定支持フレーム１０ｂの一部に突き当たり、てこの作用により、そのとき従動ロール６３を駆動ロール６２から離間する方向（矢印Ｅ２の方向）に変位させるものである。
【００７３】
また、この原稿搬送装置１では、図１０に示すように、原稿９の搬送が行われる際、レジセンサ２７と再送センサ２８により通過する原稿９の状況を予測判断している。すなわち、一般に、レジセンサ２７や再送センサ２８において、原稿９の搬送が開始された基準時（ロールの始動時）から所定の時間（ｔ１〜ｔ６）が経過しても原稿９の通過が検出されないと、その検出結果が制御部７に送られ、紙詰まり現象（ジャム）が発生したと判別される。この場合、制御部７は、ロール駆動制御部７１を制御して駆動ロール等の回転動作を停止させるとともに、表示制御部７３を制御してその紙詰まり現象が発生したことを表示部７９に表示させる。
【００７４】
＜原稿の除去作業＞
以上のような詰まった原稿の除去作業を行うための構成を採用した原稿搬送装置１においては、以下のようにして原稿の除去作業が行われる。
【００７５】
はじめに、この原稿搬送装置１では、搬送中の原稿９が詰まると、その紙詰まった現象の発生がレジセンサ２７及び再送センサ２８の検出情報から予測判断され、その現象が発生したことが表示部７９に表示される。
【００７６】
すなわち、原稿９の片面の読み取りを行うための搬送時には、図１０に示すように、その搬送対象の原稿９が給紙トレイ２に載せられて存在していることが原稿有無センサ２６により「原稿あり（ＯＮ）」と検出されると（ステップ１０：Ｓ１０）、制御部７の制御により各駆動ロールの回転が開始され（Ｓ１１）、その原稿９の搬送が開始される。図１０は、原稿の両面の読み取りを行うための搬送時における制御動作のフローを示すが、そのフローの一部（Ｓ１０〜１２、Ｓ１４、Ｓ１９、Ｓ２１、Ｓ２３など）が原稿の片面の読み取りを行うための搬送時における制御動作のフローにほぼ相当する。
【００７７】
原稿９は、前述したように主搬送路１２を通して読取部４を通過した後に排出部５から排出されるが（図５ａ〜ｃ、図７ｉ参照）、その搬送中においてレジセンサ２７によりその通過状況が検出される（Ｓ１２，Ｓ１４）。この際、原稿９の搬送方向における先端部の通過が検知されず設定時間ｔ１が経過した場合や、その原稿の後端部の通過が検出されず設定時間ｔ３が経過した場合には、表示制御部７３の制御により表示部７９において「紙詰まり発生」などの警告表示がなされる（Ｓ２１，Ｓ２３）。ここで、その原稿先端部各設定時間ｔ１，ｔ３（＞ｔ１）は、駆動ロールの始動時を基準（計測開始点）にして計測される。この基準については、これ以後に登場する設定時間ｔについても同様である。
【００７８】
原稿先端部の通過が検知されず設定時間ｔ１が経過した場合（Ｓ２１）は、例えば、図５（ｂ）に示すように、その搬送中の原稿９が第一主搬送路部１２Ａのレジセンサ２７に達する前までの通路部分に存在する状態で詰まっている。また、原稿先端部の通過は検知されても原稿後端部の通過が検知されず設定時間ｔ１が経過した場合（Ｓ２１）は、例えば、図５（ｃ）や図７（ｉ）に示すように、その搬送中の原稿９が第一主搬送路部１２Ａと第二主搬送路１２Ｂに跨って存在する状態や、第一主搬送路部１２Ａの終端部、第二主搬送路部１２Ｂ及び第三主搬送路部１２Ｃに跨って存在する状態で詰まっている。
【００７９】
このような原稿９の片面読み取りを行うための搬送時に紙詰まり現象が発生した場合には、カバー部１６を開ければ原稿の除去作業がしやすいとみなして、表示制御部７３によって表示部７９に「第一操作レバー（８１）を操作してカバーを開け、原稿を取り除いてください。」等のメッセージが表示される。
【００８０】
このときは、その表示部７９におけるメッセージの指示内容に従い、原稿の除去作業を行う使用者は、第一操作レバー８１を矢印Ｄ２の方向に揺動させて持ち上げるように操作する（図２、図１１）。これにより、第一操作レバー８１に内側軸１４ａを介して取り付けられている第一ラッチ７１が、当該軸１４ａを支点として矢印Ｃ２の方向に揺動するため、装置本体側の突起１１に引っ掛かっている状態から開放されて脱離する（図８の二点鎖線で示すラッチ７１参照）。
【００８１】
この結果、カバー部１６は、図１１に示すように装置本体１０と一体に保持される状態から開放されるので、第一操作レバー８１をもってレジロール対の従動ロール６３の軸６３ａ（又はそれと同心の支持軸）を支点として矢印Ｂ１の方向に揺動させることにより、開けられた状態になる。
【００８２】
このようにカバー部１６を開けたときには、図１１に示すように、主搬送路１２のうち第一主搬送路部１２Ａが開放された状態となり、しかも、送出装置３１の搬送ロール３３がパッド部材３４から離れてその両者間の接触部ＮＰ１も開放された状態になる。また、この原稿搬送装置１では、カバー部１６を開けることにより、図９（ｂ）に示すように、そのカバー部１６の開閉カバーにおける支点側端部１７ａに設けた突き当て部１７ｂが装置本体の固定支持フレーム１０ｂの一部に突き当たって従動ロール６３を駆動ロール６２から離間する方向（矢印Ｅ２の方向）に変位させるので、そのレジロール対６１の接触部ＮＰ３も開放された状態になる。
【００８３】
従って、原稿９が、第一主搬送路部１２Ａのレジセンサ２７に達する前までの通路部分に存在する状態で詰まっている場合（図５（ｂ））や、第一主搬送路部１２Ａと第二主搬送路１２Ｂに跨って存在する状態で詰まっている場合（図５（ｃ））でも、その詰まった原稿９は、第一主搬送路部１２Ａに存在していることが容易に視認される。しかも、ロール等の接触部ＮＰに挟まっていないので、その一端部などを手でつまんで引っ張ることで損傷することもなく容易に取り除かれる。
【００８４】
一方、原稿の両面の読み取りを行うための搬送時には、原稿９は、前述したように主搬送路１２を通して読取部４を通過した後に再送路１４側に送り込まれて排出部５の上部（排出駆動ロール５３と接触従動ロール６８の間）から途中まで排出された状態にされ、しかる後、再送路１４を通して読取部４に再送された後に排出部５から排出されるが（図５〜図７参照）、その搬送中においてレジセンサ２７及び再送センサ２８によりその通過状況が検出される（図１０におけるＳ１２〜１４，Ｓ１６，Ｓ１８〜１９）。
【００８５】
この際、主搬送路１２（厳密には第一主搬送路部１２Ａ及び第二主搬送路部１２Ｂ）を通過して再送路１４（厳密には第一再送路部１４Ａ）に送り込まれるように搬送される原稿９は、その搬送方向における先端部の通過がレジセンサ２７及び再送センサ２８によりこの順で検出され（Ｓ１２，Ｓ１３）、その後端部の通過がレジセンサ２７により検出される（Ｓ１４）。このとき、原稿９の搬送方向先端部の通過がレジセンサ２７で検知されず設定時間ｔ１が経過した場合や、レジセンサ２７で検知されたが再送センサ２８で検知されず設定時間ｔ２（＞ｔ１）が経過した場合や、その原稿先端部の各通過は各センサ２７，２８で検知されたもののその原稿後端部の通過がレジセンサ２７で検知されず設定時間ｔ３（＞ｔ２）が経過した場合には、表示制御部７３の制御により表示部７９において「紙詰まり発生」などの警告表示がなされる（Ｓ２１〜Ｓ２３）。
【００８６】
続いて、第一再送路部１４Ａに送り込まれた原稿９の後端部の通過がレジセンサ２７で検出された場合は、その検出時点からの設定時間Ｔａが経過した後にロール駆動制御部７１の制御により排出駆動ロール５３が逆転方向（この例では時計回り方向）に回転させられ（Ｓ１５）、片面の読み取りが終了した原稿９が、第二再送路部１４Ｂを搬送されるが、その原稿９の搬送方向における先端部の通過がレジセンサ２７で検知される（Ｓ１６）。このとき、原稿９の先端部の通過が検知されず設定時間ｔ４（＞ｔ３）が経過した場合には、表示部７９において「紙詰まり発生」などの警告表示がなされる（Ｓ２４）。
【００８７】
最後に、第二再送路部１４Ｂを搬送される原稿９の先端部の通過がレジセンサ２７で検出された場合は、切替ゲート７４が原稿を第三主搬送路部１２Ｃ側へ送り込む位置に切り替えられ（Ｓ１７。図７（ｈ））、その原稿９が第二主搬送路部１２Ａから第三主搬送路部１２Ｃを経て排出部５に搬送されるが、このとき、その原稿後端部の通過が再送路１４内における再送センサ２８で検知され（Ｓ１８）、しかる後、レジセンサ２７でも検知される（Ｓ１９）。このとき、原稿９の後端部の通過が再送センサ２８で検知されず設定時間ｔ５（＞ｔ４）が経過した場合や、再送センサ２８では検知されたもののレジセンサ２７で検知されず設定時間ｔ６（＞ｔ５）が経過した場合には、表示部７９において「紙詰まり発生」などの警告表示がなされる（Ｓ２５，Ｓ２６）。
【００８８】
原稿先端部の通過がレジセンサ２７で検知されず設定時間ｔ１が経過した場合（Ｓ２１）は、片面読み取りの場合と同様に、例えば図５（ｂ）に示すように、その搬送中の原稿９が第一主搬送路部１２Ａのレジセンサ２７に達する前までの通路部分に存在する状態で詰まっている。また、原稿先端部の通過がレジセンサ２７で検知されても再送センサ２８で検知されず設定時間ｔ２が経過した場合（Ｓ２２）は、例えば図５（ｃ）に示すように、その搬送中の原稿９が第一主搬送路部１２Ａと第二主搬送路１２Ｂに跨って存在する状態や、第三主搬送路部１２Ｃまで達しない状態で詰まっている。さらに、原稿先端部の通過がレジセンサ２７及び再送センサ２８で検知されてもその後端部がレジセンサ２７で検知されず設定時間ｔ３が経過した場合（Ｓ２３）は、例えば図６（ｄ），（ｅ）に示すように、その搬送中の原稿９が第一主搬送路部１２Ａから第一再送路１４Ａまでに跨って存在する状態や、第二主搬送路部１２Ｂから第一再送路部１４Ａに跨って存在する状態で詰まっている。
【００８９】
その後、再送路１４（第二再送路部１４Ｂ）を搬送される段階においても、その再送路１４を搬送される原稿９の先端部の通過がレジセンサ２７で検知されず設定時間ｔ４が経過した場合（Ｓ２４）は、例えば図６（ｆ）及び図７（ｇ）に示すように、その搬送中の原稿９が第一再送路部１４Ａに存在する状態や、第一再送路部１４Ａと第二再送路部１４Ｂに跨ってレジセンサ２７に達する前までの通路部分に存在する状態で詰まっている。また、その原稿先端部の通過がレジセンサ２７で検知されてもその原稿後端部が再送センサ２８で検知されず設定時間ｔ５が経過した場合（Ｓ２５）は、例えば図７（ｈ）に示すように、その搬送中の原稿９が第一再送路部１４Ａから第二再送路部１４Ｂを経由して第二主搬送路部１２Ｂ等までに跨って存在する状態で詰まっている。そして最後に、その原稿後端部の通過が再送センサ２８で検知されてもその後にレジセンサ２７で検知されず設定時間ｔ６が経過した場合（Ｓ２６）は、例えば図７（ｉ）に示すように、その搬送中の原稿９が第一主搬送路部１２Ａの終端部、第二主搬送路部１２Ｂ及び第三主搬送路部１２Ｃに跨って存在する状態で詰まっている。
【００９０】
このような原稿９の両面読み取りを行うための搬送時に紙詰まり現象が発生した場合には、通路形成部１８を開ければ原稿の除去作業がしやすいとみなして、表示制御部７３によって表示部７９に「第二操作レバー（８２）を操作してカバーを開け、原稿を取り除いてください。」等のメッセージが表示される。
【００９１】
このときは、その表示部７９におけるメッセージの指示内容に従い、原稿の除去作業を行う使用者は、第二操作レバー８２を矢印Ｄ２の方向に揺動させて持ち上げるように操作する（図２、図１２）。これにより、第二操作レバー８２に外側軸１４ｂを介して取り付けられている第二ラッチ７２が、当該軸１４ｂを支点として矢印Ｃ２の方向に揺動するため、通路形成部１８の突起１８ａに引っ掛かった状態になる（図８の二点鎖線で示すラッチ７２）。
【００９２】
またこの際、第二ラッチ７２が矢印Ｃ２の方向に揺動すると、その揺動途中の段階で第一ラッチ７１にある連結アーム７３が引っ掛かり第一ラッチ７１と一時的に一体化された状態になる（図８）。これにより、第二ラッチ７２と共に第一ラッチ７１も矢印Ｃ２の方向に揺動するため、第一ラッチ７１が装置本体側の突起１１に引っ掛かっている状態から開放されて脱離する（図８の二点鎖線で示すラッチ７１参照）。
【００９３】
この結果、図１２に示すように、カバー部１６が装置本体１０と一体に保持される状態から開放されるとともに、通路形成部１８がカバー部１６と一体に保持された状態になるので、第二操作レバー８２をもってレジロール対の従動ロール６３の軸６３ａ（又はそれと同心の支持軸）を支点として矢印Ｂ１の方向に揺動させることにより、通路形成部１８が（カバー部１６と共に）開けられた状態になる。
【００９４】
このように通路形成部１８を直接開けたときには、図１２に示すように、再送路１４のうち少なくとも第一再送路部１４Ａの一部と第二再送路部１４Ｂとが開放された状態となり、しかも、２つの接触従動ロール６８，６９が排出駆動ロール５３又は搬送駆動ロール６５から離れてその両者間の接触部ＮＰ５、ＮＰ６（図３）もそれぞれ開放された状態になる。またこの際、通路形成構造部１を開けることはカバー部１６も同時に開けることにもなるため、図９（ｂ）に示すように、そのカバー部１６の開閉カバーにおける支点側端部１７ａにある突き当て部１７ｂの突き当て作用により従動ロール６３を駆動ロール６２から離間する方向に変位させるので、そのレジロール対６１の接触部ＮＰ３も開放された状態になる。
【００９５】
従って、原稿９が、再送路１４のいずれかの通路部分に存在する状態で詰まっている場合（図６（ｄ）〜（ｆ）、図７（ｇ））でも、その詰まった原稿９は、再送路１４に存在していることが容易に視認され、しかも、少なくとも再送路１４におけるロール等の接触部ＮＰ５，６とレジロール対における接触部ＮＰ３に挟まっていないので、その一端部などを手でつまんで引っ張ることで容易に取り除かれる。
【００９６】
特に原稿９が再送路１４の通路のみに存在する状態で詰まっている場合（図６（ｆ）、図７（ｇ））には、その詰まった原稿９は、再送路１４に存在していることが容易に視認される。しかも、再送路１４におけるロール等の接触部ＮＰ５，６に一切挟まっていないので、その一端部などを手でつまんで引っ張ることで損傷することもなく容易に取り除かれる。
【００９７】
この原稿搬送装置１では、通路形成部１８を１回の開ける動作（レバー操作）を行うだけで開けることができる。参考までに、図１８に例示するように、通路形成部１８をカバー部１６とは別に開閉するように取り付けるように構成した場合には、カバー部１６を矢印Ｂ１の方向に揺動させて開けた後、通路形成部１８を矢印Ｍ１方向に揺動させて開けることとなり、通路形成部１８を開ける際には２回の開ける動作を行わなければならない。このため、特に再送路内に詰まった原稿を取り除く作業を行う際に、操作工程が増えることになる。この図の構成例は、通路形成部１８を排出駆動ロール５３の上方であって収容トレイ２の一端部に接近した位置に設置される支持軸Ｘを中心にして矢印Ｍ１，Ｍ２で示す方向に揺動するように取り付けたものである。
【００９８】
ちなみに、この原稿搬送装置１では、通路形成部１８を開けたときに、第二操作レバー８２を閉じる方向（矢印Ｄ１の方向）に操作すれば、第二ラッチ７２が通路形成部側の突起１８ａから脱離して、カバー部１６が通路形成部１８から分離した状態になるので、カバー部１６を通路形成部１８に対して開けた状態にすることが可能である。
【００９９】
また、この原稿搬送装置１では、例えば両面の読み取りを行うために搬送する場合に、両面の読み取りが終了した原稿９を排出ロール対５２（ロール５３，５４の間）から排出する途中で、その排出途中の原稿を再送路１４（第一再送路部１４Ａ）に送り込んで、排出駆動ロール５３と接触従動ロール６８の間を通して排出させるように搬送することができる。これにより、原稿９を収容トレイ２に収容したときの表裏面の状態（例えば表面が上向きで収容されていた場合には排出されるときも表面が上向きになる状態にすること）で排出することができ、原稿が複数枚積み重なる場合には、その積み重ねの順番も収容時と同じにすることができる。
【０１００】
［第２の実施形態］
図１２及び図１３は、この発明の第２の実施形態に係る原稿搬送装置を示すものである。図１２はその装置の要部を概略斜視図として示し、図１３はその装置の要部を概略説明図として示している。
【０１０１】
この実施形態に係る原稿搬送装置１Ｂは、第１の実施形態に係る原稿搬送装置１におけるレジセンサ２７及び再送センサ２８の検出情報に基づいて第一ラッチ７１及び第二ラッチ７２を所定の方向に動かすラッチ揺動装置７５を設けるとともに、２つの操作レバー８１，８２を１つの操作レバー８３に変更したものである。第１の実施形態における構成部分と共通する部分については、図中に同じ符合を付し、その説明を必要な場合以外は省略する（これ以降の実施形態においても同様とする）。
【０１０２】
ラッチ揺動装置７５は、電磁ソレノイドで構成されている。このラッチ揺動装置７５は、カバー部１６（開閉カバー１７）に取り付けられており、その作動棒７５ａが連結材７６を介して二重構造の軸７４の外側軸７４ｂに形成された突片７４ｃと接続（それぞれ軸を介して接続）されることで最終的に第二ラッチ８２と接続された状態になっている。そして、ラッチ揺動装置７５は、その作動棒の矢印Ｇ１，Ｇ２で示す方向への進退移動により外側軸７４ｂを介して第二ラッチ８２を矢印Ｃ１，Ｃ２で示す方向に揺動させるようになっている。この実施形態における電磁ソレノイドは、その作動棒７５ａが矢印Ｇ１の方向に進み出た状態が「ＯＦＦ」の状態（平常時の状態）、矢印Ｇ２の方向に退避した状態が「ＯＮ」の状態となるように設定されている。
【０１０３】
また、このラッチ揺動装置７５は、図４に示すように制御部７に接続されたソレノイド制御部７４により動作が制御される。具体的には、平常時は、作動棒７５ａが進み出たＯＦＦの状態に保たれる一方で、搬送中の原稿９の少なくとも一部が再送路１４内に存在して詰まった状態又は原稿９が第二主搬送路部１２Ａ及び第三主搬送路部１２Ｃ内に存在して詰まった状態になったときには作動棒７５ａが退避したＯＮの状態に移行するように設定されている。
【０１０４】
この原稿９が詰まった状態の検出は、レジセンサ２７及び再送センサ２８の検出情報から予測判断しており、原稿９が搬送過程のなかで各センサ２７，２８を予定の時間内で通過しているか否かを調べることで行っている。ここでは、図１０に示すように、レジセンサ２７及び再送センサ２８から得られる検出情報のうちから、レジロール対６１と排出ロール対５２（接触従動ロール６８との間を含む。以下も同じ。）の双方に挟まれて詰まった状態（図６（ｄ），（ｅ）、図７（ｈ），（ｉ））又は排出ロール対５２（６８）に挟まれて詰まった状態にあると予測される情報（Ｓ２３〜Ｓ２６に移行したときの情報）を抽出し、この検出情報が得られたときにソレノイドをＯＮ状態にする動作（図１５の（Ａ）で示す制御フロー）に移行するように設定している。
【０１０５】
操作レバー８３は、カバー部１６の前記窪み部１６ｃ内に二重構造の軸の内側軸７４ａに固定して取り付けられている。この操作レバー８３は、矢印Ｄ１，Ｄ２で示す方向に揺動させることにより、その内側軸７４ａを介して第一ラッチ７１を矢印Ｃ１，Ｃ２の方向に揺動させるようになっている。なお、この実施形態における第一ラッチ７４には、第１の実施形態における第一ラッチ７１のような連結アーム部７３が形成されておらず、第一ラッチ７１と第二ラッチ７２は常に独立して揺動する構成になっている。ただし、必要であれば、連結アーム部７３を形成してもよいが、その場合には、ラッチ揺動装置７５の動作と連動して矢印Ｄ１，Ｄ２の方向に揺動することになる。
【０１０６】
また、この原稿搬送装置１Ｂでは、詰まった原稿の除去作業を行う際に、通路形成部１８をカバー部１６と共に開閉した状態を把握し、原稿の除去作業の終了とその後の後処理（ラッチ揺動装置７５をＯＦＦ状態に戻す動作など）を行うため、第一ラッチ７１の引っ掛け状態及びその解除状態を検出する検出器７７が設けられている。
【０１０７】
この実施形態では、検出器７７として、インターロックスイッチを使用しており、その上下動するスイッチ端子７７ａが第一ラッチ７１の掛け部７１ａの接触及び離間により動かされることにより作動するようになっている。具体的には、第一ラッチ７１が装置本体側の突起１１に引っ掛かった状態になったときには、その掛け部７１ａがスチッチ端子７７ａに接触して押下することで「ＯＮ」の状態となり、第一ラッチ７１が突起１１から脱離した状態になったときには、その掛け部７１ａがスチッチ端子７７ａから離間して開放することで「ＯＦＦ」の状態となるように設定されている。この検出器７７としてのインターロックスイッチは、制御部７に接続されている（図４）。
【０１０８】
＜原稿の除去作業＞
この原稿搬送装置１Ｂにおいては、以下のようにして原稿の除去作業が行われる。
【０１０９】
はじめに、原稿９の片面の読み取りを行うための搬送時において紙詰まりが発生した場合には、以下の警告表示が行われるので、その警告表示に従って原稿の除去作業が行われる。
【０１１０】
すなわち、この片面読み取りの搬送時には、第１の実施形態で説明したように、レジセンサ２７により原稿９の通過状況が検出されており（図１０に示すＳ１２，Ｓ１４）、この際に、原稿９の搬送方向における先端部の通過が検知されず設定時間ｔ１が経過した場合や、その原稿の後端部の通過が検出されず設定時間ｔ３が経過した場合には、表示部７９において「紙詰まりの発生」などの警告表示がなされる（Ｓ２１，Ｓ２３）。この場合、表示部７９には例えば「紙詰まりが発生しました。操作レバー（８３）を操作してカバーを開け、原稿を取り除いてください。」とのメッセージを表示してもよい。
【０１１１】
この警告表示を受けて、使用者は、操作レバー８３を矢印Ｄ２の方向に揺動させて持ち上げるように操作する（図１３、図１４）。これにより、操作レバー８３に内側軸１４ａを介して取り付けられている第一ラッチ７１が、当該軸１４ａを支点として矢印Ｃ２の方向に揺動するため、装置本体側の突起１１に引っ掛かっている状態から開放されて脱離する（図８の二点鎖線で示すラッチ７１の状態を参照）。
【０１１２】
この結果、カバー部１６は、装置本体１０と一体に保持される状態から開放されるので（図１１参照）、操作レバー８３をもってレジロール対の従動ロール６３の軸６３ａ（又はそれと同心の支持軸）を支点として矢印Ｂ１の方向に揺動させることにより、開けられた状態になる。このカバー部１６を開けた状態にしてから詰まった原稿９の取り除き作業が行われる。
【０１１３】
一方、原稿の両面の読み取りを行うための搬送時において紙詰まりが発生した場合には、以下の警告表示が行われるので、その警告表示に従って原稿の除去作業が行われる。
【０１１４】
すなわち、この両面読み取りの搬送時には、第１の実施形態で説明したように、レジセンサ２７及び再送センサ２８により原稿９の通過状況が検出される（図１０に示すＳ１２〜１４，Ｓ１６，Ｓ１８〜１９）。この際、第１の実施形態で説明したような原稿９の通過がレジセンサ２７又は再送センサ２８で検知されず設定時間（ｔ１〜ｔ６）が経過した場合には、表示部７９において「紙詰まりの発生」などの警告表示がなされる（Ｓ２１〜Ｓ２６）。この場合、表示部７９には例えば「紙詰まりが発生しました。操作レバー（８３）を操作してカバーを開け、原稿を取り除いてください。」とのメッセージを表示してもよい。
【０１１５】
また、この際、以下の検出結果が得られた場合には、図１０及び図１５に示すように、ラッチ揺動装置７７の電磁ソレノイドがＯＮ状態になる。
【０１１６】
その検出結果とは、原稿９の先端部の第二主搬送路部１２Ａ及び第一再送路部１４Ａにおける各通過はレジセンサ２７と再送センサ２８で検知されたもののその原稿後端部の第一主搬送路部１２Ａの通過終了がレジセンサ２７で検知されず設定時間ｔ３が経過した場合（Ｓ２３）、原稿９の先端部の第二再送路部１４Ｂでの通過がレジセンサ２７で検知されず設定時間ｔ４が経過した場合（Ｓ２４）、原稿９の後端部の第一再送路部１４Ａでの通過が再送センサ２８で検知されず設定時間ｔ５が経過した場合（Ｓ２５）や、その原稿後端部が再送センサ２８で検知されたものの第二主搬送路部１２Ｂの手前側位置のレジセンサ２７では検知されず設定時間ｔ６が経過した場合（Ｓ２６）である。この検出結果が得られたときには、図１５に示す制御フロー（Ａ）に移行する。
【０１１７】
ラッチ揺動装置７７の電磁ソレノイドがＯＮ状態になると（図１５に示すＳ３０）、作動棒７５ａが矢印Ｇ２の方向に退避する。これにより、図１６に示すように、その作動棒７５ａの退避動作が外側軸７４ｂを介して第二ラッチ７２を当該軸１４ｂを支点として矢印Ｃ２の方向に揺動させるため、第二ラッチ７２が通路形成部１８側の突起１８ａに引っ掛かった状態になる。
【０１１８】
この結果、通路形成部１８は、ラッチ揺動装置７７の動作によりカバー部１６と一体に保持された状態になる。ただし、この際、第一ラッチ７１は突起１１に引っ掛かった状態にある（図１６）。
【０１１９】
このため、上記警告表示を受けたときは、操作レバー８３をもってカバー部１６を開けると、ラッチ揺動装置７７の動作により通路形成部１８がカバー部１８と自動的に一体に保持された状態になっていることに加え、その操作レバー８３に内側軸１４ａを介して取り付けられている第一ラッチ７１が矢印Ｃ２の方向に揺動して突起１１に引っ掛かっている状態から開放されて脱離するので、通路形成部１８がカバー部１６と一体となって開けられた状態になる。
【０１２０】
従って、この場合には、このように通路形成部１８をカバー部１６と共に開けた状態にしてから詰まった原稿９の取り除き作業が行われる。
【０１２１】
このときの原稿の取り除き作業が行われるに際しては、原稿搬送装置１Ｂでは、図１５に示すように、操作レバー８３の揺動操作により第一ラッチ７１が突起１１から脱離してインターロックスイッチ７７がＯＦＦ状態になることを検出し（Ｓ３１）、通路形成部１８がカバー部１６と共に開けられた状態にある検出し、その後においてカバー部１６と通路形成部１８が閉じられることでインターロックスイッチ７７が再びＯＮ状態になるまで待機する（Ｓ３２）。この間に、原稿取り除き作業が行われているものと想定している。
【０１２２】
その後、カバー部１６が通路形成部１８と共に閉じられると、インターロックスイッチ７７がＯＮ状態になり、原稿９の詰まり状態を検出しているレジセンサ２７及び再送センサ２８がＯＦＦ状態になっているか否か検出する（Ｓ３３）。
【０１２３】
このときＯＦＦ状態になっていない場合には、原稿の取り除きが終了していないとみなし、警告表示を続行した状態で前述したようにインターロックスイッチ７７のＯＦＦ状態及びＯＮ状態になることを検出し続け（Ｓ３２，Ｓ３３）、通路形成部１８とカバー部１６が開けられて作業が終了するまで待機する。
【０１２４】
また、ＯＦＦになっている場合には、原稿の取り除きが終了したとみなし、表示部７９における紙詰まり発生の表示を解除するとともに（Ｓ３４）、ラッチ揺動装置７７の電磁ソレノイドをＯＦＦ状態にする（Ｓ３５）。ソレノイドがＯＦＦ状態になると、第二ラッチ７２が突起１８ａから脱離した状態になるので、通路形成部１８はカバー部１６と一体に保持される状態から開放された状態になる。これにより、原稿搬送装１Ｂは、その後の原稿搬送を続行することができる。
【０１２５】
この原稿搬送装置１Ｂにおいては、特に、両面読み取りの搬送時において原稿９がレジロール対６１と排出ロール対５２（ロール６８を含む）の双方に挟まれて詰まった状態（図６ｄ，ｅ、図７ｈ，ｉ）又は排出ロール対５２（６８）に挟まれて詰まった状態がセンサ２７，２８で検出されて、その搬送中の原稿９の少なくとも一部が再送路１４内に存在して詰まった状態又は原稿９が第二主搬送路部１２Ａ及び第三主搬送路部１２Ｃ内に存在して詰まった状態になった予測判断したときには、第二ラッチ７２がラッチ揺動装置７７の作動により自動的に突起１８ａに引っ掛けられた状態にされて通路形成部１８がカバー部１６と一体の状態に保持される。このため、通路形成部１８を開ける操作のための専用の操作レバー（第１の実施形態における第二操作レバー８２）が不要となる。そして、このような状態で詰まった原稿の取り除き作業に際しては、１つの操作レバー８３を操作することで通路形成部１８をカバー部１６と共に開けることが可能となる。
【０１２６】
［他の実施形態］
第１及び第２の実施形態に係る原稿搬送装置１，１Ｂにおいては、再送路１４として、第三主搬送路部１２Ｃから分岐して排出駆動ロール対５３の上部に接触する接触従動ロール６８との間にむけて搬送して導く第一再送路部１４Ａを有するものを説明したが、その第一再送路部１４Ａに代えて、図１７に例示するように、第三主搬送路部１２Ｃから分岐した後に搬送ロール対６４の駆動ロール６５に接触する接触従動ロール６９との間にむけて搬送して導く通路形状からなる第三再送路部１４Ｃを有するものを適用してもよい。
【０１２７】
この場合、第三再送路部１４Ｃは第二再送路部１４Ｂに接続される。また、第三再送路部１４Ｃの第三主搬送路部１２Ｃとの分岐点には切替ゲート６７を配置し、その切替ゲート６７を、両面読み取り搬送時において片面読み取りが終了して排出ロール対５２で排出されている途中の原稿９を第三主搬送路部１２Ｃから第三再送路部１４Ｃ側に送り込んで誘導するための位置に切替えることができるように設定する。また、この場合、排出ロール対５２は、下方側に配置されるロール５４を駆動ロール、その上方側に配置されるロール５３を従動ロールとし、その従動ロール５３をカバー部１６側に取り付けるようにする。これにより、通路形成部１８を開けたときには、カバー部１６と共に従動ロール５３が駆動ロール５４から離間した状態になるので、排出ロール対５２の接触部ＮＰ２が開放された状態になり、詰まった原稿の取り除き作業がしやすくなる。
【０１２８】
また、第１及び第２の実施形態においては、カバー部１６に突き当て部１７ｄを設けること（図９）、接触従動ロール６８をカバー部１６に取り付けることのいずれか一方又は双方を採用しなくてもかまない。しかし、採用しない場合は、詰まった原稿の取り除き作業がしにくくなるときもある。
【０１２９】
さらに、第１及び第２の実施形態においては、カバー部及び通路形成部１８を取り付ける対象をレジロール対の従動ロール６３の軸６３ａやそれと同じ軸心の支持軸以外の部位に設置する支持軸に変更してもよい。また、第一ラッチ７１と第二ラッチ７２は、二重構造の軸７４ではなく、異なる軸にそれぞれ取り付けるように構成してもよい。
【０１３０】
この他、第１及び第２の実施形態においては、原稿の紙詰まりが発生したときに表示部７９に警告表示を行う構成に代えて、操作レバー８１〜８３に発光ダイオード素子（ＬＥＤ）等の発光手段を取り付け、操作対象となるレバーにおける発光手段を点灯させて使用者に操作対象を知らせる構成を採用してもよい。
【０１３１】
また、このような原稿搬送装置１，１Ｂは、それ自体に読取手段が装備されていない場合には、原稿読取装置と組み合わせて使用される。
【図面の簡単な説明】
【０１３２】
【図１】第１の実施形態等に係る原稿搬送装置の全体構成を示す一部断面説明図である。
【図２】図１の原稿搬送装置の要部を示す概略斜視図である。
【図３】図１の原稿搬送装置の要部を示す概略説明図である。
【図４】原稿搬送装置における制御系の構成を示すブロック図である。
【図５】原稿搬送装置による原稿搬送時の一過程（その１）の推移状態を示す説明図である。
【図６】原稿搬送装置による原稿搬送時の一過程（その２）の推移状態を示す説明図である。
【図７】原稿搬送装置による原稿搬送時の一過程（その３）の推移状態を示す説明図である。
【図８】第一ラッチと第二ラッチ等の構成を示す説明図である。
【図９】カバー部の突き当て部の構成及び動作状態を示す説明図である。
【図１０】原稿搬送装置による原稿搬送時（両面読み取り搬送時）における制御動作の流れを示すフローチャートである。
【図１１】カバー部を開けたときの状態を示す説明図である。
【図１２】通路形成部を（カバー部と共に）開けたときの状態を示す説明図である。
【図１３】第２の実施形態に係る原稿搬送装置の要部を示す概略斜視図である。
【図１４】図１３の原稿搬送装置の要部を示す概略説明図である。
【図１５】図１３の原稿搬送装置における制御動作の流れを示すフローチャートである。
【図１６】図１３の原稿搬送装置においてラッチ揺動装置がＯＮ状態になったときの第二ラッチの状態を主に示す概略説明図である。
【図１７】他の構成からなる再送路を採用した場合の原稿搬送装置の要部を示す概略斜視図である。
【図１８】通路形成部をカバー部とは（一体でなく）別々に開ける構成を採用した場合の原稿搬送装置の要部を示す概略斜視図である。
【符号の説明】
【０１３３】
１，１Ｂ…原稿搬送装置、３…送出部、４…読取部、５…排出部、９…原稿、１０…装置本体、１０ｂ…固定フレーム（固定部材）、１１…突起（装置本体の被掛け部）、１２…主搬送路、１４…再送路、１６…カバー部、１７ｄ…突き当て部、１８…通路形成部、１８ａ…突起（通路形成部の被掛け部）、２７…レジセンサ（検出手段）、２８…再送センサ（検出手段）、５３…排出駆動ロール（排出ロール）、６１…レジロール対（搬送時期調整ロール対）、６３…従動ロール（一方のロール）、６３ａ…従動ロールの回転軸、６４…駆動ロール（他方のロール）、６８…接触従動ロール（接触ロール）、７１…第一ラッチ（第一掛け具）、７２…第二ラッチ（第二掛け具）、７４…二重構造の軸、７４ａ…内側軸（二重構造の軸の一方）、７４ｂ…外側軸（二重構造の軸の一方）、７５…ラッチ駆動装置（掛け具駆動手段）、８１…第一操作レバー、８２…第二操作レバー、８３…操作レバー。
【図１】
2009227383.tif 000003
【図２】
2009227383.tif 000004
【図３】
2009227383.tif 000005
【図４】
2009227383.tif 000006
【図５】
2009227383.tif 000007
【図６】
2009227383.tif 000008
【図７】
2009227383.tif 000009
【図８】
2009227383.tif 000010
【図９】
2009227383.tif 000011
【図１０】
2009227383.tif 000012
【図１１】
2009227383.tif 000013
【図１２】
2009227383.tif 000014
【図１３】
2009227383.tif 000015
【図１４】
2009227383.tif 000016
【図１５】
2009227383.tif 000017
【図１６】
2009227383.tif 000018
【図１７】
2009227383.tif 000019
【図１８】
2009227383.tif 000020